(57)【特許請求の範囲】
【請求項１】
ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを有するＩＰアドレス読替システムであって、
前記ＩＳＰ局番通知サイトは前記ＩＳＰ側システムの外部に設けられており、
前記ＩＳＰ側システムは、
前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信することで、前記相手先が属しているＩＳＰにおける、読替番号の問い合わせ先のＩＰアドレスを前記ＩＳＰ局番通知サイトから受信し、前記相手先の読替番号の一部または全部を、前記相手先が属しているＩＳＰの前記問い合わせ先のＩＰアドレスに対して送信することで、前記相手先が属しているＩＳＰから前記相手先のＩＰアドレスを受信し、前記受信したＩＰアドレスを前記ユーザ側システムに送信する読替番号−ＩＰアドレス読替え手段、を有しており、
前記ＩＳＰ側システムは、前記相手先のＩＰアドレスを前記ユーザ側システムに送信することで、前記ユーザ側システムから相手先に対して、前記ＩＳＰ局番通知サイトを介することなく、前記相手先とのＩＰ電話による通信を行わせる、
ことを特徴とするＩＰアドレス読替システム。
【請求項２】
ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを有するＩＰアドレス読替システムであって、
前記ＩＳＰ局番通知サイトは前記ＩＳＰ側システムの外部に設けられており、
前記ＩＳＰ側システムは、
前記ユーザ側システムからの接続要求を受付ける接続受付手段と、
前記ユーザ側システムから受け付けた接続要求における認証情報の確認を、認証情報を格納する認証データベースを参照することで行う認証手段と、
前記認証手段において正常に認証が行えた場合、前記接続要求に応じて前記ユーザ側システムに対してＩＰアドレスを割り当てるＩＰアドレス割当手段と、
前記ユーザ側システムからの接続要求の際またはインターネットサービス要求の際に前記割り当てたＩＰアドレスに対する読替番号との対応関係を更新するＩＰアドレス−読替番号データベース更新手段と、
前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信することで、前記相手先が属しているＩＳＰにおける、読替番号の問い合わせ先のＩＰアドレスを前記ＩＳＰ局番通知サイトから受信し、前記相手先の読替番号の一部または全部を、前記相手先が属しているＩＳＰの前記問い合わせ先のＩＰアドレスに対して送信することで、前記相手先が属しているＩＳＰから前記相手先のＩＰアドレスを受信し、前記受信したＩＰアドレスを前記ユーザ側システムに送信する読替番号−ＩＰアドレス読替え手段と、を有しており、
前記ユーザ側システムは、
前記ＩＳＰ側システムから受信した相手先のＩＰアドレスに基づいて、前記相手先に対して、前記ＩＳＰ局番通知サイトを介することなく、前記相手先とのＩＰ電話による通信を行う、
ことを特徴とするＩＰアドレス読替システム。
【請求項３】
前記読替番号−ＩＰアドレス読替え手段は、
前記ユーザ側システムからＩＰアドレス問い合わせが行われた際に、前記ＩＳＰを識別する為に割り当てられたプロバイダ番号と詳細番号とを含む読替番号を受信した場合には、
前記プロバイダ番号を前記ＩＳＰ局番通知サイトに送信することで前記ＩＳＰの読替番号を問い合わせる先のＩＰアドレスを前記ＩＳＰ局番通知サイトから受信し、
前記受信したＩＰアドレスに対して前記詳細番号を送信し、前記詳細番号に該当する相手先のＩＰアドレスを受信し、前記受信した相手先のＩＰアドレスを前記ユーザ側システムに送信する、
ことを特徴とする請求項１または請求項２に記載のＩＰアドレス読替システム。
【請求項４】
前記読替番号−ＩＰアドレス読替え手段は、
前記ユーザ側システムからＩＰアドレス問い合わせが行われた際に詳細番号のみからなる読替番号を受信した場合には、前記詳細番号を前記ＩＳＰ局番通知サイトに送信することで前記ＩＳＰの読替番号を問い合わせる先のＩＰアドレスを前記ＩＳＰ局番通知サイトから受信し、
前記受信したＩＰアドレスに対して前記詳細番号を送信し、前記詳細番号に該当するＩＰアドレスを受信し、前記受信したＩＰアドレスを前記ユーザ側システムに送信する、
ことを特徴とする請求項１または請求項２に記載のＩＰアドレス読替システム。
【請求項５】
前記ＩＳＰ側システムは、さらに、
ユーザの認証情報と対応する前記ユーザの読替番号を格納しているユーザＩＤ−読替番号データベースと、
ＩＰアドレスと対応する読替番号を格納しているＩＰアドレス−読替番号データベースと、を有しており、
前記ＩＰアドレス−読替番号データベース更新手段は、
前記ユーザＩＤ−読替番号データベースから前記ユーザの読替番号を検索し、前記ＩＰアドレス−読替番号データベースにおける前記ＩＰアドレスに対応する読替番号を前記検索したユーザの読替番号で更新する、
ことを特徴とする請求項２に記載のＩＰアドレス読替システム。
【請求項６】
ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを機能させるＩＰアドレス読替方法であって、
前記ＩＳＰ局番通知サイトは前記ＩＳＰ側システムの外部に設けられており、
前記ＩＳＰ側システムは、
前記ユーザ側システムからＩＰアドレス問い合わせが行われた際に前記ユーザ側システムから相手先の読替番号を受信し、
前記ＩＳＰ局番通知サイトに対して前記受信した読替番号の一部または全部を送信し、
前記ＩＳＰ局番通知サイトから前記相手先が属しているＩＳＰの問い合わせ先であるＩＰアドレスを受信し、
前記相手先が属しているＩＳＰの問い合わせ先のＩＰアドレスに対して前記読替番号の一部または全部を送信し、
前記相手先が属しているＩＳＰから前記相手先のＩＰアドレスを受信し、
前記受信したＩＰアドレスを前記ユーザ側システムに送信することで、前記ユーザ側システムから相手先に対して、前記ＩＳＰ局番通知サイトを介することなく前記相手先とのＩＰ電話による通信を行わせる、
ことを特徴とするＩＰアドレス読替方法。
【請求項７】
ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを機能させるＩＰアドレス読替方法であって、
前記ＩＳＰ局番通知サイトは前記ＩＳＰ側システムの外部に設けられており、
前記ＩＳＰ側システムは、
前記ユーザ側システムから受け付けた接続要求における認証情報の確認を、認証情報を格納する認証データベースを参照することで行い、
前記認証手段において正常に認証が行えた場合、前記接続要求に応じて前記ユーザ側システムに対してＩＰアドレスを割り当て、
前記ユーザ側システムからの接続要求の際またはインターネットサービス要求の際に前記割り当てたＩＰアドレスに対する読替番号との対応関係を更新し、
前記ユーザ側システムからＩＰアドレス問い合わせが行われた際に前記ユーザ側システムから相手先の読替番号を受信し、
前記ＩＳＰ局番通知サイトに対して前記受信した読替番号の一部または全部を送信し、
前記ＩＳＰ局番通知サイトから前記相手先が属しているＩＳＰの問い合わせ先であるＩＰアドレスを受信し、
前記相手先が属しているＩＳＰの問い合わせ先のＩＰアドレスに対して前記読替番号の一部または全部を送信し、
前記相手先が属しているＩＳＰから前記相手先のＩＰアドレスを受信し、
前記受信したＩＰアドレスを前記ユーザ側システムに送信し、
前記ユーザ側システムは、
前記ＩＳＰ側システムから送信された前記相手先のＩＰアドレスを受信し、そのＩＰアドレスに基づいて、前記ユーザ側システムから相手先に対して、前記ＩＳＰ局番通知サイトを介することなく、前記相手先とのＩＰ電話による通信を行う、
ことを特徴とするＩＰアドレス読替方法。
【請求項８】
前記ユーザ側システムからＩＰアドレス問い合わせが行われた際に前記ＩＳＰを識別する為に割り当てられたプロバイダ番号と詳細番号とを含む読替番号を受信した場合には、
前記プロバイダ番号を前記ＩＳＰ局番通知サイトに送信し、
前記ＩＳＰ局番通知サイトから前記ＩＳＰの読替番号を問い合わせ先のＩＰアドレスを受信し、
前記受信したＩＰアドレスに対して前記詳細番号を送信し、
前記詳細番号に該当する相手先のＩＰアドレスを受信し、
前記受信した相手先のＩＰアドレスを前記ユーザ側システムに送信する、
ことを特徴とする請求項６または請求項７に記載のＩＰアドレス読替方法。
【請求項９】
前記ユーザ側システムからＩＰアドレス問い合わせが行われた際に詳細番号のみからなる読替番号を受信した場合には、
前記詳細番号を前記ＩＳＰ局番通知サイトに送信し、
前記ＩＳＰ局番通知サイトから前記ＩＳＰの読替番号を問い合わせ先のＩＰアドレスを受信し、
前記受信したＩＰアドレスに対して前記詳細番号を送信し、
前記詳細番号に該当する相手先のＩＰアドレスを受信し、
前記受信した相手先のＩＰアドレスを前記ユーザ側システムに送信する、
ことを特徴とする請求項６または請求項７に記載のＩＰアドレス読替方法。
【請求項１０】
前記ＩＳＰ側システムは、さらに、
ユーザの認証情報と対応する前記ユーザの読替番号を格納しているユーザＩＤ−読替番号データベースと、
ＩＰアドレスと対応する読替番号を格納しているＩＰアドレス−読替番号データベースと、を有しており、
前記ＩＳＰ側システムは、
前記割り当てたＩＰアドレスに対する読替番号を前記ＩＰアドレス−読替番号データベースにおいて更新する際には、前記ユーザＩＤ−読替番号データベースから前記ユーザの読替番号を検索し、
前記ＩＰアドレス−読替番号データベースにおける前記ＩＰアドレスに対応する読替番号を前記検索したユーザの読替番号で更新する、
ことを特徴とする請求項６から請求項９のいずれかに記載のＩＰアドレス読替方法。
【請求項１１】
各ＩＳＰにおける読替番号の問い合わせ先となるＩＰアドレスを格納しているＩＳＰ局番データベースを有するＩＳＰ局番通知サイトとの間でネットワークを介してデータの送受信が行えるＩＳＰ側システムであって、
前記ＩＳＰ局番通知サイトは前記ＩＳＰ側システムの外部に設けられており、
前記ＩＳＰ側システムは、
ユーザが利用するユーザ側システムからＩＰアドレス問い合わせが行われた際に前記ユーザ側システムから相手先の読替番号を受信し、前記ＩＳＰ局番通知サイトに対して前記受信した読替番号の一部または全部を送信することで、前記相手先が属しているＩＳＰにおける、読替番号の問い合わせ先のＩＰアドレスを前記ＩＳＰ局番通知サイトから受信し、前記相手先の読替番号の一部または全部を、前記相手先が属しているＩＳＰの前記問い合わせ先のＩＰアドレスに対して送信することで、前記相手先が属しているＩＳＰから前記相手先のＩＰアドレスを受信し、前記受信したＩＰアドレスを前記ユーザ側システムに送信する読替番号−ＩＰアドレス読替え手段、を有しており、
前記ＩＳＰ側システムは、前記相手先のＩＰアドレスを前記ユーザ側システムに送信することで、前記ユーザ側システムから相手先に対して、前記ＩＳＰ局番通知サイトを介することなく、前記相手先とのＩＰ電話による通信を行わせる、
ことを特徴とするＩＳＰ側システム。
【請求項１２】
各ＩＳＰにおける読替番号の問い合わせ先となるＩＰアドレスを格納しているＩＳＰ局番データベースを有するＩＳＰ局番通知サイトとの間でネットワークを介してデータの送受信が行えるＩＳＰ側システムであって、
前記ＩＳＰ局番通知サイトは前記ＩＳＰ側システムの外部に設けられており、
前記ＩＳＰ側システムは、
ユーザが利用するユーザ側システムからの接続要求を受付ける接続受付手段と、
前記ユーザ側システムから受け付けた接続要求における認証情報の確認を、認証情報を格納する認証データベースを参照することで行う認証手段と、
前記認証手段において正常に認証が行えた場合、前記接続要求に応じて前記ユーザ側システムに対してＩＰアドレスを割り当てるＩＰアドレス割当手段と、
前記ユーザ側システムからの接続要求の際またはインターネットサービス要求の際に前記割り当てたＩＰアドレスに対する読替番号との対応関係を更新するＩＰアドレス−読替番号データベース更新手段と、
前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信し、前記相手先が属しているＩＳＰの読替番号を問い合わせる先のＩＰアドレスを前記ＩＳＰ局番通知サイトから受信し、前記相手先が属しているＩＳＰの読替番号の一部または全部を問い合わせ先のＩＰアドレスに対して送信し、前記相手先が属しているＩＳＰから前記相手先のＩＰアドレスを受信し、前記受信したＩＰアドレスを前記ユーザ側システムに送信する読替番号−ＩＰアドレス読替え手段と、を有しており、
前記ユーザ側システムは、
前記ＩＳＰ側システムから受信した相手先のＩＰアドレスに基づいて、前記相手先に対して、前記ＩＳＰ局番通知サイトを介することなく、前記相手先とのＩＰ電話による通信を行う、
ことを特徴とするＩＳＰ側システム。
【発明の詳細な説明】
【０００１】
【発明の属する技術分野】
本発明は、ネットワークを使用したコミュニケーションの際にＩＰアドレスを予め定められたルールに則り読み替えることによって、ユーザが相手先のＩＰアドレスを知らなくとも、相手のコンピュータにアクセスすることが可能なＩＰアドレス読替システム及び方法に関する。
【０００２】
【従来の技術】
インターネット等に代表されるネットワークを用いたコミュニケーションが、本邦に於いても急速に発達してきている。コンピュータを用いたコミュニケーションの手法としては、従来は電子メール、チャット、電子掲示板等が主流であったが、それらに加えて近年では、ＩＰ電話と称されるインターネットを用いた電話が増加傾向にある。
【０００３】
ユーザがＩＰ電話を使用する際には、電話番号の代わりに相手のコンピュータのネットワーク上に於ける所在地を示すＩＰアドレスを指定することによって、相手のコンピュータに架電をすることが出来る。
【０００４】
【発明が解決しようとする課題】
前記方法を用いた場合では、ユーザは相手のＩＰアドレスを知っている必要性がある。しかし本邦では個人ユーザを中心としてＰＰＰ接続を用いてコンピュータをネットワークに接続していることが多く、この場合に接続の度に付与されるＩＰアドレスは、毎回同じものが付与されているわけではない。つまり、ＩＰアドレスが可変である為、ＩＰ電話を使用する際には相手先のＩＰアドレスを架電前に通常の電話、電子メール等を用いて確認しなければいけない。
【０００５】
即ち、現状に於いてはユーザがＩＰ電話を使用する際には、相手先のＩＰアドレスの確認作業が必要となっており、通常の電話のようにすぐに相手先に架電することが困難である。
【０００６】
【課題を解決するための手段】
本発明は上記相手先に割り当てているＩＰアドレスとユーザ固有の読替番号とを対応させることによって、相手先のＩＰアドレスを知るＩＰアドレス読替システム及び方法を提供することを目的とする。
【０００７】
請求項１の発明は、ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを有するＩＰアドレス読替システムであって、前記ＩＳＰ局番通知サイトは前記ＩＳＰ側システムの外部に設けられており、前記ＩＳＰ側システムは、前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信することで、前記相手先が属しているＩＳＰにおける、読替番号の問い合わせ先のＩＰアドレスを前記ＩＳＰ局番通知サイトから受信し、前記相手先の読替番号の一部または全部を、前記相手先が属しているＩＳＰの前記問い合わせ先のＩＰアドレスに対して送信することで、前記相手先が属しているＩＳＰから前記相手先のＩＰアドレスを受信し、前記受信したＩＰアドレスを前記ユーザ側システムに送信する読替番号−ＩＰアドレス読替え手段、を有しており、前記ＩＳＰ側システムは、前記相手先のＩＰアドレスを前記ユーザ側システムに送信することで、前記ユーザ側システムから相手先に対して、前記ＩＳＰ局番通知サイトを介することなく、前記相手先とのＩＰ電話による通信を行わせる、ＩＰアドレス読替システムである。
【０００８】
請求項２の発明は、ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを有するＩＰアドレス読替システムであって、前記ＩＳＰ局番通知サイトは前記ＩＳＰ側システムの外部に設けられており、前記ＩＳＰ側システムは、前記ユーザ側システムからの接続要求を受付ける接続受付手段と、前記ユーザ側システムから受け付けた接続要求における認証情報の確認を、認証情報を格納する認証データベースを参照することで行う認証手段と、前記認証手段において正常に認証が行えた場合、前記接続要求に応じて前記ユーザ側システムに対してＩＰアドレスを割り当てるＩＰアドレス割当手段と、前記ユーザ側システムからの接続要求の際またはインターネットサービス要求の際に前記割り当てたＩＰアドレスに対する読替番号との対応関係を更新するＩＰアドレス−読替番号データベース更新手段と、前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信することで、前記相手先が属しているＩＳＰにおける、読替番号の問い合わせ先のＩＰアドレスを前記ＩＳＰ局番通知サイトから受信し、前記相手先の読替番号の一部または全部を、前記相手先が属しているＩＳＰの前記問い合わせ先のＩＰアドレスに対して送信することで、前記相手先が属しているＩＳＰから前記相手先のＩＰアドレスを受信し、前記受信したＩＰアドレスを前記ユーザ側システムに送信する読替番号−ＩＰアドレス読替え手段と、を有しており、前記ユーザ側システムは、前記ＩＳＰ側システムから受信した相手先のＩＰアドレスに基づいて、前記相手先に対して、前記ＩＳＰ局番通知サイトを介することなく、前記相手先とのＩＰ電話による通信を行う、ＩＰアドレス読替システムである。
【００１１】
請求項３の発明において、前記読替番号−ＩＰアドレス読替え手段は、前記ユーザ側システムからＩＰアドレス問い合わせが行われた際に、前記ＩＳＰを識別する為に割り当てられたプロバイダ番号と詳細番号とを含む読替番号を受信した場合には、前記プロバイダ番号を前記ＩＳＰ局番通知サイトに送信することで前記ＩＳＰの読替番号を問い合わせる先のＩＰアドレスを前記ＩＳＰ局番通知サイトから受信し、前記受信したＩＰアドレスに対して前記詳細番号を送信し、前記詳細番号に該当する相手先のＩＰアドレスを受信し、前記受信した相手先のＩＰアドレスを前記ユーザ側システムに送信する、ＩＰアドレス読替システムである。
【００１２】
請求項４の発明において、前記読替番号−ＩＰアドレス読替え手段は、前記ユーザ側システムからＩＰアドレス問い合わせが行われた際に詳細番号のみからなる読替番号を受信した場合には、前記詳細番号を前記ＩＳＰ局番通知サイトに送信することで前記ＩＳＰの読替番号を問い合わせる先のＩＰアドレスを前記ＩＳＰ局番通知サイトから受信し、前記受信したＩＰアドレスに対して前記詳細番号を送信し、前記詳細番号に該当するＩＰアドレスを受信し、前記受信したＩＰアドレスを前記ユーザ側システムに送信する、ＩＰアドレス読替システムである。
【００１５】
請求項５の発明において、前記ＩＳＰ側システムは、さらに、ユーザの認証情報と対応する前記ユーザの読替番号を格納しているユーザＩＤ−読替番号データベースと、ＩＰアドレスと対応する読替番号を格納しているＩＰアドレス−読替番号データベースと、を有しており、前記ＩＰアドレス−読替番号データベース更新手段は、前記ユーザＩＤ−読替番号データベースから前記ユーザの読替番号を検索し、前記ＩＰアドレス−読替番号データベースにおける前記ＩＰアドレスに対応する読替番号を前記検索したユーザの読替番号で更新する、ＩＰアドレス読替システムである。
【００１６】
請求項６の発明は、ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを機能させるＩＰアドレス読替方法であって、前記ＩＳＰ局番通知サイトは前記ＩＳＰ側システムの外部に設けられており、前記ＩＳＰ側システムは、前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信し、前記ＩＳＰ局番通知サイトから前記相手先が属しているＩＳＰの問い合わせ先であるＩＰアドレスを受信し、前記相手先が属しているＩＳＰの問い合わせる先のＩＰアドレスに対して前記読替番号の一部または全部を送信し、前記相手先が属しているＩＳＰから前記相手先のＩＰアドレスを受信し、前記受信したＩＰアドレスを前記ユーザ側システムに送信することで、前記ユーザ側システムから相手先に対して、前記ＩＳＰ局番通知サイトを介することなく前記相手先とのＩＰ電話による通信を行わせる、ＩＰアドレス読替方法である。
【００１７】
請求項７の発明は、ユーザが利用するユーザ側システムと、各ＩＳＰにおける読替番号の問い合わせ先となるＩＰアドレスを格納しているＩＳＰ局番データベースを有するＩＳＰ局番通知サイトと、それぞれネットワークを介してデータの送受信が行えるＩＳＰ側システムを機能させるＩＰアドレス読替方法であって、前記ＩＳＰ局番通知サイトは前記ＩＳＰ側システムの外部に設けられており、前記ＩＳＰ側システムは、前記ユーザ側システムから受け付けた接続要求における認証情報の確認を、認証情報を格納する認証データベースを参照することで行い、前記認証手段において正常に認証が行えた場合、前記接続要求に応じて前記ユーザ側システムに対してＩＰアドレスを割り当て、前記ユーザ側システムからの接続要求の際またはインターネットサービス要求の際に前記割り当てたＩＰアドレスに対する読替番号との対応関係を更新し、前記ユーザ側システムからＩＰアドレス問い合わせが行われた際に前記ユーザ側システムから相手先の読替番号を受信し、前記ＩＳＰ局番通知サイトに対して前記受信した読替番号の一部または全部を送信し、前記ＩＳＰ局番通知サイトから前記相手先が属しているＩＳＰの問い合わせ先であるＩＰアドレスを受信し、前記相手先が属しているＩＳＰの問い合わせる先のＩＰアドレスに対して前記読替番号の一部または全部を送信し、前記相手先が属しているＩＳＰから前記相手先のＩＰアドレスを受信し、前記受信したＩＰアドレスを前記ユーザ側システムに送信し、前記ユーザ側システムは、前記ＩＳＰ側システムから送信された前記相手先のＩＰアドレスを受信し、そのＩＰアドレスに基づいて、前記ユーザ側システムから相手先に対して、前記ＩＳＰ局番通知サイトを介することなく、前記相手先とのＩＰ電話による通信を行う、ＩＰアドレス読替方法である。
【００２０】
請求項８の発明において、前記ユーザ側システムからＩＰアドレス問い合わせが行われた際に前記ＩＳＰを識別する為に割り当てられたプロバイダ番号と詳細番号とを含む読替番号を受信した場合には、前記プロバイダ番号を前記ＩＳＰ局番通知サイトに送信し、前記ＩＳＰ局番通知サイトから前記ＩＳＰの読替番号を問い合わせ先のＩＰアドレスを受信し、前記受信したＩＰアドレスに対して前記詳細番号を送信し、前記詳細番号に該当する相手先のＩＰアドレスを受信し、前記受信した相手先のＩＰアドレスを前記ユーザ側システムに送信する、ＩＰアドレス読替方法である。
【００２１】
請求項９の発明において、前記ユーザ側システムからＩＰアドレス問い合わせが行われた際に詳細番号のみからなる読替番号を受信した場合には、前記詳細番号を前記ＩＳＰ局番通知サイトに送信し、前記ＩＳＰ局番通知サイトから前記ＩＳＰの読替番号を問い合わせ先のＩＰアドレスを受信し、前記受信したＩＰアドレスに対して前記詳細番号を送信し、前記詳細番号に該当する相手先のＩＰアドレスを受信し、前記受信した相手先のＩＰアドレスを前記ユーザ側システムに送信する、ＩＰアドレス読替方法である。
【００２４】
請求項１０の発明において、前記ＩＳＰ側システムは、さらに、ユーザの認証情報と対応する前記ユーザの読替番号を格納しているユーザＩＤ−読替番号データベースと、ＩＰアドレスと対応する読替番号を格納しているＩＰアドレス−読替番号データベースと、を有しており、前記ＩＳＰ側システムは、前記割り当てたＩＰアドレスに対する読替番号を前記ＩＰアドレス−読替番号データベースにおいて更新する際には、前記ユーザＩＤ−読替番号データベースから前記ユーザの読替番号を検索し、前記ＩＰアドレス−読替番号データベースにおける前記ＩＰアドレスに対応する読替番号を前記検索したユーザの読替番号で更新する、ＩＰアドレス読替方法である。
【００２５】
本発明によって、ユーザが相手先のＩＰアドレスを取得したい場合には、相手先に割り当てられた不変の読替番号を入力しそれをユーザが接続するＩＳＰ（ここでＩＳＰとはインターネットサービスプロバイダのことを示しており、所謂プロバイダである）に対して問い合わせることによって、ＩＳＰがプロバイダ番号を管理（格納）しているＩＳＰ局番通知サイトに対して検索を行い、その検索の結果、読替番号が該当する外部ＩＳＰに対して読替番号に対応するＩＰアドレスの問い合わせを行うことで、ユーザが接続しているＩＳＰを介して相手先のＩＰアドレスを取得することが可能となる。つまり、相手先の外部ＩＳＰが可変的にＩＰアドレスを割り当てていても、ユーザは直接、相手先に対して通常の電話、電子メール等を用いて問い合わせることなく、相手先のＩＰアドレスを取得できる。
【００２６】
又、ＩＳＰのプロバイダ番号を管理しているデータベース（又はそのコピー）をＩＳＰ内に有することによって、ＩＳＰはＩＳＰ局番通知サイトに対してプロバイダ番号の問い合わせを行わなくとも、相手先の属している外部ＩＳＰを把握できる。
【００２７】
更に、ＩＳＰ内に於いてＩＰアドレスと読替番号との対応を常に更新しておくことによって、ＩＳＰに対して他のＩＳＰから読替番号とＩＰアドレスとの対応の問い合わせがあった場合に、その読替番号が対応しているＩＰアドレスを他のＩＳＰに対して送信することが可能となる。
【００２８】
読替番号がプロバイダ番号と詳細番号から構成されている場合には、ＩＳＰはＩＳＰ局番通知サイトに対してプロバイダ番号を送信するのみで、外部ＩＳＰの問い合わせ先ＩＰアドレスを取得することができ、情報量の削減に繋がる。この際には、取得したＩＰアドレスに対して詳細番号のみを送信することで相手先のＩＰアドレスを取得でき、同様に情報量の削減が可能となる。
【００２９】
【発明の実施の形態】
本発明の実施形態の一例を図を用いて詳細に説明する。図１は本発明のシステム構成図の一例である。本実施形態では、ユーザ側システム（以下、ユーザ２）とＩＳＰ側システム（以下、ＩＳＰ３）と外部ＩＳＰ２４とネットワーク４があり、ユーザ２とＩＳＰ３は電話回線２３（電話回線２３以外であってもよい）で、ＩＳＰ３とＩＳＰ局番通知サイト２０はネットワーク４で接続している。又、ＩＳＰ局番通知サイト２０はＩＳＰ３の外部に独立していても良いし、ＩＳＰ３に設けられていても良い。外部ＩＳＰ２４はＩＳＰ３と同様の機能を有しているＩＳＰ以外のＩＳＰ、即相手先の属しているプロバイダである。
【００３０】
ユーザ２は、ユーザが直接操作するパソコン等のユーザ側クライアントマシン５とモデム／ＴＡ７を有している。ユーザ側クライアントマシン５は、ブラウザ等のインターネットサービス要求手段６を有している。ユーザ２は、ユーザ側クライアントマシン５とモデム／ＴＡ７とを用いて、ＩＳＰ３にＰＰＰ接続を行う。
【００３１】
ＩＳＰ３は、モデム／ＴＡ８、ＲＡＳサーバ９、接続受付手段１０、ＩＰアドレス割当手段１１、インターネットサービスサーバ１２、インターネットサービス提供手段１３、認証手段１４、ＩＰアドレス−読替番号データベース更新手段１５、読替番号−ＩＰアドレス読替え手段１６、認証データベース１７、ユーザＩＤ−読替番号データベース１８、ＩＰアドレス−読替番号データベース１９を有している。尚、図１において、ＩＰアドレス割当手段１１はＲＡＳサーバ内９にあるが、必ずしもその必要はなく、独立していてもよい。又、読替番号−ＩＰアドレス読替え手段１６は、図１においては独立しているが、インターネットサービスサーバ１２に組み込まれていてもよい。又ＩＳＰ局番通知サイト２０自体をＩＳＰ３内に有していても良いし、ＩＳＰ局番通知サイト２０のコピーをＩＳＰ３内に有していても良い。
【００３２】
ＲＡＳサーバ９は、接続受付手段１０とＩＰアドレス割当手段１１とを有している。ＰＰＰ接続時にユーザ２が入力するパスワードやＩＤ等を認証手段１４に認証要求し、ユーザ２が認証された後はＩＰアドレス割当手段１１が割り当てるＩＰアドレスをユーザ２に送信する。また、前記ＩＰアドレスをＩＰアドレス−読替番号データベース更新手段１５に送信する。
【００３３】
ＩＰアドレス割当手段１１は、ＩＳＰ３がユーザ２とＰＰＰ接続する際にユーザ２にＩＰアドレスを割り当てる手段である。これは、認証手段１４において認証されたユーザ２に対して行われる。
【００３４】
インターネットサービスサーバ１２は、ユーザ２に情報提供するサービスサーバ一般を指し、例としてはウェブサーバやメールサーバが挙げられる。インターネットサービスサーバ１２はインターネットサービス提供手段１３を有し、ユーザ２からインターネットサービス要求を受けて、インターネットサービスを提供する。
【００３５】
認証手段１４は、ユーザ２から送信されたユーザのＩＤ及びパスワードのチェックを、認証データベース１７のデータを参照して行い、これが正当なものであれば、ＩＰアドレス割当手段１１に対し「ＯＫ信号」を送信する。
【００３６】
ＩＰアドレス−読替番号データベース更新手段１５は、ＩＰアドレス割当手段１１によりユーザ２にＩＰアドレスが割り当てる度に、割り当てたＩＰアドレスのユーザの詳細番号をユーザＩＤ−読替番号データベース１８から検索し、検索した詳細番号をＩＰアドレス−読替番号データベース１９に格納している前記割り当てたＩＰアドレスに対応する詳細番号を上書きして書き換える手段である。即ちユーザのＩＤが「ａｂｃ」であって、ユーザ２に割り当てたＩＰアドレスが「２０３．１４１．１２８．３」であった場合、ユーザＩＤ−読替番号データベース１８からＩＤ「ａｂｃ」の詳細番号「２２３４５６７８９」を検索し、その詳細番号をＩＰアドレス−読替番号データベース１９に於けるＩＰアドレス「２０３．１４１．１２８．３」に対応する既存の読替番号「５４６４７８８９０」を「２２３４５６７８９」で上書きすることになる。
【００３７】
本実施態様に於いてはＩＰアドレス−読替番号データベース更新手段１５は、前記のように割り当てたＩＰアドレスに対してユーザの詳細番号を更新する場合を説明するが、詳細番号に対して割り当てたＩＰアドレスを更新することによっても良い。その場合には、ユーザＩＤ−読替番号データベース１８に、前記割り当てたＩＰアドレスを更新することが好適である。この場合のユーザＩＤ−読替番号データベース１８は、図６に示したテーブルの他にユーザに割り当てているＩＰアドレスのテーブルがあることが好適である。
【００３８】
読替番号−ＩＰアドレス読替え手段１６は、ユーザ２によるＩＰアドレスの問い合わせ処理の際（例えばＩＰ電話を使用する際）、ユーザ２から受信する読替番号から、読替番号に対応するＩＰアドレスを取得する手段である。ユーザ２から受信した読替番号に基づいてその読替番号をＩＳＰ局番通知サイト２０に送信し、そこから読替番号の該当するプロバイダ情報を取得する。取得したプロバイダ情報に基づいて該当するプロバイダ（外部ＩＳＰ２４）に対して読替番号を送信し該当する読替番号のＩＰアドレスの問い合わせを行い、前記送信した外部ＩＳＰ２４から読替番号が該当するＩＰアドレスを受領しそれをユーザ２に送信することによってＩＰアドレスをユーザ２に伝える手段である。
【００３９】
認証データベース１７は、ユーザ２がＩＳＰ３にＰＰＰ接続をする際にユーザを認証するのに必要な情報を格納しているデータベースである。情報の一例としては、認証に必要なユーザのＩＤ、パスワード、又、固定的にＩＰアドレスを割り当てている場合には各ユーザＩＤに固定的に割り当てられたＩＰアドレス等が挙げられる。図５に認証データベース１７のデータ構造の一例を示す。
【００４０】
ユーザＩＤ−読替番号データベース１８は、各ユーザのＩＤと、ＩＤに対応する詳細番号を格納しているデータベースである。図６にユーザＩＤ−読替番号データベース１８のデータ構造の概念図を示す。
【００４１】
ＩＰアドレス−読替番号データベース１９は、ＩＰアドレスと、ＩＰアドレスに対応する読替番号を格納しているデータベースである。図７にＩＰアドレス−読替番号データベース１９のデータ構造の一例を示す。又、ユーザ２の接続情報を付加したＩＰアドレス−読替番号データベース１９のデータ構造の概念図を図８に示す。接続状況を付加した場合のＩＰアドレス−読替番号データベース１９は、ＩＰアドレスに対応する読替番号に加えて、１（接続中）もしくは０（未接続）のフラグで示したユーザ２の接続情報を格納している。
【００４２】
ＩＳＰ局番通知サイト２０は、プロバイダを特定する番号であるプロバイダ番号と、読替番号を外部ＩＳＰ２４に対して送信する際の読替番号問い合わせＩＰアドレスとを格納しているＩＳＰ局番データベース２２とＩＳＰ局番通知手段２１とを有しており、ＩＳＰ３からの問い合わせに応じて読替番号が該当するプロバイダ番号を検索し送信する手段である。本実施態様に於いてはＩＳＰ局番通知サイト２０は独立で示したが、ＩＳＰ３内に設けられても良いし、ＩＳＰ局番通知サイト２０のコピーがＩＳＰ３内に設けられていても良い。
【００４３】
ＩＳＰ局番通知手段２１は、ＩＳＰ３の読替番号−ＩＰアドレス読替え手段１６よりプロバイダ情報（外部ＩＳＰ２４の読替番号の問い合わせを行う先のＩＰアドレス）の問合せを受け、ＩＳＰ局番データベース２２を参照して読替番号のプロバイダ番号に基づいてプロバイダ情報を取得し送信する。
【００４４】
ＩＳＰ局番データベース２２は、プロバイダ番号と読替番号を外部ＩＳＰ２４に対して送信する際の読替番号ＩＰアドレスとを格納している。図９にＩＳＰ局番データベース２２のデータ構造の概念図を示す。
【００４５】
図１０には、読替番号のデータ構成の一例を示す。図１０では読替番号は、プロバイダ番号と詳細番号から構成されている。又読替番号には、プロバイダ番号はなくても良く詳細番号のみであっても良い。その場合には、ＩＳＰ局番通知サイト２０のＩＳＰ局番データベース２２は、読替番号（詳細番号）と読替番号（詳細番号）をどのプロバイダのＩＰアドレスに問い合わせたらよいかを示す読替番号問い合わせＩＰアドレスとを対応づけて格納していることとなる。又読替番号の他のデータ構成として、プロバイダ番号、一以上のグループ番号、詳細番号であってもよい。グループ番号とはＩＳＰ内に於いて一以上の詳細番号をまとめている番号であって、グループ番号を設けることによって、地域毎、アクセスポイント毎等のグループ毎に詳細番号を管理することが可能となる。
【００４６】
本発明に於けるデータベースは、論理的に区別されているのみであって、物理的あるいは事実上は同一の領域を為しているデータベース内に存していても良い。
【実施例】
【００４７】
次に、本発明のプロセスの流れの一例を図１のシステム構成図と図２から図４のフローチャート図を用いて詳細に説明する。読替番号を入力することにより相手先のＩＰアドレスを取得するには、ＩＰアドレスと読替番号との対応を常に取っておく必要がある。ＩＰアドレスと読替番号との対応を取るには、ＰＰＰ接続時に処理する場合とインターネットサービス要求時に処理する場合の２つの手法が存在する。まず、図２のフローチャート図を用いてＩＰアドレスと読替番号との対応をＰＰＰ接続時に処理する場合、即ちＩＰアドレス−読替番号データベース１９をＰＰＰ接続時に更新する場合を説明する。
【００４８】
ネットワーク４に接続しようとするユーザ２は、ＩＳＰ３に対しＰＰＰ接続（主にＰＰＰ接続の場合を本実施態様においては説明するが、他の接続方法によっても良い）を行う（Ｓ１００）。ＩＳＰ３のＲＡＳサーバ９は、接続受付手段１０においてこれを受付ける（Ｓ１１０）。ＲＡＳサーバ９は、ユーザ２から送信されたユーザのＩＤ及びパスワードのチェックを認証手段１４に対し要求する（Ｓ１２０）。
【００４９】
この要求を受けた認証手段１４は（Ｓ１３０）、認証データベース１７の該当情報を参照して当該ユーザのＩＤ及びパスワードをチェックし（Ｓ１４０）、これが正当なものであれば（Ｓ１５０）、ＩＰアドレス割当手段１１に対し「ＯＫ信号」を送信する（Ｓ１６０）。又Ｓ１４０及びＳ１５０において不正である場合にはアクセスを拒絶する（Ｓ１６５）。例えばユーザのＩＤが「ａｂｃ」でパスワードが「ｑｗｅｒｔ」でアクセスした場合、これらの認証を認証データベース１７から行うことになる。
【００５０】
Ｓ１５０に於いて正当なアクセスであった場合、ＩＰアドレス割当手段１１は「ＯＫ信号」を受取り（Ｓ１７０）、ＲＡＳサーバ９に対しＩＳＰが割り当てることの可能なＩＰアドレスを返す（Ｓ１８０）（例えば「２０３．１４１．１２８．３」）。又ユーザのＩＤとＩＰアドレスとを固定的に割り当てても良くその場合には、前記ＩＤ及びパスワードに対応するＩＰアドレスを返す。この場合にはユーザに対して一意のＩＰアドレスを認証データベース１７で格納している。
【００５１】
ＲＡＳサーバ９は、ＩＰアドレスを受取り（Ｓ１９０）、それらが自ら割当可能な範囲である場合に、これをユーザ２に対し割当て（Ｓ２００）、ユーザ２はこの割当てを受けＩＰアドレスを受領する（Ｓ２１０）。
【００５２】
ＲＡＳサーバ９の接続受付手段１０は前記ＩＰアドレスとユーザのＩＤとを、ＩＰアドレス−読替番号データベース更新手段１５に送信する（Ｓ２２０）。ＩＰアドレス−読替番号データベース更新手段１５はこれを受領し（Ｓ２３０）、同時にユーザＩＤ−読替番号データベース１８から前記ユーザ２の詳細番号を取得し、ＩＰアドレスと前記取得した詳細番号とをＩＰアドレス−読替番号データベース１９に送信して、ＩＰアドレス−読替番号データベース１９のＩＰアドレスに対応した詳細番号を更新する（Ｓ２４０）。即ち、前記例の場合、ユーザＩＤ−読替番号データベース１８からユーザＩＤが「ａｂｃ」であるユーザ２の詳細番号「２２３４５６７８９」を検索し、その検索した詳細番号「２２３４５６７８９」とユーザ２に割り当てられたＩＰアドレス「２０３．１４１．１２８．３」とに基づいてＩＰアドレス−読替番号データベース１９におけるＩＰアドレスが「２０３．１４１．１２８．３」の詳細番号「５４６４７８８９０」を、新しい詳細番号「２２３４５６７８９」で上書きすることとなる。
【００５３】
本実施態様に於いてはＩＰアドレス−読替番号データベース更新手段１５は、Ｓ２４０のように前記割り当てたＩＰアドレスに対してユーザの詳細番号を更新する場合を説明するが、詳細番号に対して割り当てたＩＰアドレスを更新することによっても良い。その場合には、ユーザＩＤ−読替番号データベース１８に、前記割り当てたＩＰアドレスを更新することが好適である。この場合のユーザＩＤ−読替番号データベース１８は、図６に示したテーブルの他にユーザに割り当てているＩＰアドレスのテーブルがあることが好適である。
【００５４】
次に、ＩＰアドレスと詳細番号との対応をインターネットサービス要求時に処理する場合、即ち、ＩＰアドレス−読替番号データベース１９の更新をインターネットサービス要求時に処理する場合を、図１のシステム構成図と図３のフローチャート図を用いて詳細に説明する。前記説明と重複する部分については省略する。
【００５５】
ユーザ２のインターネットサービス手段６が、ＩＳＰ３に対しインターネットサービス要求をすると（Ｓ３００）、ＩＳＰ３はインターネットサービス提供手段１３においてこのインターネットサービス要求を受付ける（Ｓ３１０）。
【００５６】
Ｓ３１０においてインターネットサービス要求を受付けると、インターネットサービス提供手段１３は、要求元のＩＰアドレスとユーザのＩＤとを取得する（Ｓ３２０）。この際にユーザのＩＤは、ユーザによる入力等によって取得する。
【００５７】
Ｓ３２０において取得されたＩＰアドレスとユーザのＩＤとはＩＰアドレス−読替番号データベース更新手段１５によって受領され（Ｓ３３０）、受領したＩＰアドレスとユーザのＩＤとに基づいてＩＰアドレスの該当するユーザのＩＤの詳細番号をユーザＩＤ−読替番号データベース１８から検索する。そしてＩＰアドレスと前記検索した詳細番号とに基づいて該当するＩＰアドレスの詳細番号を、ＩＰアドレス−読替番号データベース更新手段１５は、ＩＰアドレス−読替番号データベース１９において更新する（Ｓ３４０）。
【００５８】
上記に於いては読替番号がプロバイダ番号と詳細番号から構成される場合を説明したが、読替番号が詳細番号のみから構成される場合には詳細番号を読み替え番号に置き換えれば同様に実現できる。又ＩＰアドレスに対して読替番号を更新するのではなく、読替番号に対してＩＰアドレスを更新する場合については前記と同様である。
【００５９】
次に、ユーザ２が相手先の読替番号を入力し（例えば、ＩＰ電話を使用する場合等）相手先のＩＰアドレスを取得するプロセスの流れを図４のフローチャート図を用いて詳細に説明する。
【００６０】
ユーザ２が相手先の読替番号（例えば「＃１２３＃２２３４５６７８９」）を入力すると、インターネットサービス要求手段６が、ＩＳＰ３に対しＩＰアドレス問い合わせ処理がユーザ２内に於いて発生し、ＩＰアドレス問い合わせをＩＳＰ３に送信する（Ｓ４００）。ここで読替番号の前者の＃以降をプロバイダ番号とし、後者の＃以降を詳細番号とする。
【００６１】
ＩＳＰ３がインターネットサービス提供手段１３においてこれを受けると（Ｓ４１０）、読替番号−ＩＰアドレス読替手段１６は、プロバイダ番号よりＩＰアドレスを取得要求を行い（Ｓ４２０）、まず、読替番号のプロバイダ番号に対応したプロバイダを知る為に、ＩＳＰ局番通知サイト２０にプロバイダ情報（読替番号の問い合わせを行う外部ＩＳＰ２４のＩＰアドレス）を問い合わせる。前記例の場合では、「１２３」のプロバイダ番号を有する外部ＩＳＰ２４のＩＰアドレスを問い合わせる。
【００６２】
ＩＳＰ局番通知サイト２０のＩＳＰ局番通知手段２１でプロバイダ情報（「１２３」）問い合わせを受けると（Ｓ４３０）、ＩＳＰ局番データベース２２から読替番号が含んでいるプロバイダ番号からプロバイダの読替番号問い合わせＩＰアドレスであるプロバイダ情報を取得する（Ｓ４４０）。前記例の場合には、「１２３」のプロバイダ番号の読替番号問い合わせＩＰアドレスは「２１０．１６２．１２８．１」なのでこれを取得することとなる。
【００６３】
取得したプロバイダ情報は、ＩＳＰ３に送信されこれを取得することによって（Ｓ４５０）、前記取得したプロバイダである外部ＩＳＰ２４のＩＰアドレス（ここでは「２１０．１６２．１２８．１」）に対して詳細番号（ここでは「２２３４５６７８９」）を送信し、詳細番号（「２２３４５６７８９」）のＩＰアドレスの問い合わせ要求を送信する（Ｓ４６０）。
【００６４】
外部ＩＳＰ２４では、読替番号をＩＳＰ３から受信することによって（Ｓ４７０）、外部ＩＳＰ２４が有しているＩＰアドレス−読替番号データベースからＳ４７０に於いて受信した読替番号の詳細番号が該当するＩＰアドレスを検索し（Ｓ４８０）、そのＩＰアドレスをＩＳＰ３に対して送信する（Ｓ４９０）。又ＩＰアドレス−読替番号データベース１９にＩＰアドレスの接続状況が付加されている場合には、この接続状況（「１」は接続中、「０」は未接続）も併せてＩＳＰ３に送信することが好適である。
【００６５】
ＩＳＰ３の読替番号−ＩＰアドレス読替手段１６は、外部ＩＳＰ２４から送信されたＩＰアドレスを受信し（Ｓ５００）、インターネットサービス提供手段１３に受信したＩＰアドレスを送信する（Ｓ５１０）。
【００６６】
インターネットサービス提供手段１３は、Ｓ５１０に於いて送信されたＩＰアドレスを受信し（Ｓ５２０）、そのＩＰアドレスをユーザ２に送信する（Ｓ５３０）。この際に外部ＩＳＰ２４からＩＰアドレスの接続状況（「１」は接続中、「０」は未接続）も併せて受信している場合には、接続状況もユーザ２に送信することが好適である。
【００６７】
ユーザ２はＳ５３０に於いて送信されたＩＰアドレスを受信することによって（Ｓ５４０）、受信したＩＰアドレスを知ることが可能となり、このＩＰアドレスに対して、例えばＩＰ電話を架ける等を行えばよい。又ＩＰ電話を架ける際には、Ｓ５４０で受信したＩＰアドレスをユーザが入力することなく自動的に処理を行っても良い。又ＩＰアドレスの接続状況もＩＳＰ３から受信している場合には、この接続状況に基づいて相手が「１」（接続中）のフラグを有している場合にのみＩＰ電話を架ける等を行い、相手が「０」（未接続）のフラグの場合にはその旨をユーザに通知し、架電等は行わないことが好適である。
【００６８】
又Ｓ４２０に於いてＩＳＰ局番通知サイト２０にプロバイダ情報を問い合わせる前に、該当する読替番号はＩＳＰ３が管理している相手であるか否かを判断しても良い。この場合には、受信した読替番号のプロバイダ番号に基づいてＩＳＰ３のプロバイダ番号と同等であるか否かを判断すればよい。
【００６９】
本実施態様に於いては、相手先のＩＰアドレスの取得を読替番号−ＩＰアドレス読替手段に於いて実行しているが、インターネットサービス要求手段６に於いて実行されても良い。この場合には、ユーザ２からＩＳＰ局番通知サイト２０に対してＩＰアドレス取得要求が為され、この結果をＩＳＰ局番通知サイト２０から受信し、受信したＩＳＰ３（相手先の属するプロバイダ）に対して読替番号を送信し、該当するＩＰアドレスを検索させ、ＩＳＰ３から読替番号の該当するＩＰアドレスを受信することによって、行うことが出来る。
【００７０】
ＩＳＰ３内に存在している相手の場合には、Ｓ４２０で受信した読替番号をＩＰアドレス−読替番号データベース１９を検索し該当する読替番号に対するＩＰアドレスを検索し、それをインターネットサービス提供手段１３を介してユーザ２に送信することによって、実現できる。
【００７１】
ユーザ２が相手先の読替番号を入力し相手先のＩＰアドレスを取得するプロセスの流れに於いては、読替番号からプロバイダ番号と詳細番号から構成されている場合を説明したが、詳細番号のみ（読替番号＝詳細番号）であっても同様に実現できる。この場合には、ユーザ２は例えば「＃２２３４５６７８９」の読替番号を入力しそれをＩＳＰ３で受信し、ＩＳＰ３はこれをＩＳＰ局番通知サイト２０に送信する。ＩＳＰ局番通知サイト２０は受信した読替番号に基づいて、読替番号の相手先のプロバイダの問い合わせ先となる読替番号問い合わせＩＰアドレスを検索し、それをＩＳＰ３に送信する。
【００７２】
ＩＳＰ３は、受信した読替番号問い合わせＩＰアドレスの外部ＩＳＰ２４に対して読替番号を送信し、外部ＩＳＰ２４から該当読替番号のＩＰアドレスを取得しそれをユーザ２に送信する。このようなプロセスを経ることによって、ユーザ２は相手先のＩＰアドレスを取得が可能となる。
【００７３】
本実施態様に於いては、相手先のＩＰアドレスをユーザ２を使用する一例としてＩＰ電話を利用する場合で説明したが、ネットワークを用いたインターネット会議等の他に用いることも可能である。
【００７４】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００７５】
この場合、記憶媒体から読み出されたプログラム自体が前記した実施態様の機能を実現することとなり、そのプログラムを記憶した記憶媒体は本発明を当然のことながら構成することになる。
【００７６】
プログラムコードを供給するための記憶媒体としては、例えばフロッピーディスク、ハードディスク、光ディスク、光磁気ディスク、磁気テープ、不揮発性のメモリカード等を使用することができる。
【００７７】
また、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部または全部を行い、その処理によって前記した実施態様の機能が実現される場合も含まれることは言うまでもない。
【００７８】
さらに、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００７９】
【発明の効果】
本発明によって、ユーザは相手先の可変的なＩＰアドレスを知らなくとも読替番号のみを知っていれば、相手先のコンピュータに対して直接アクセスが可能となる。これによってユーザはＩＰ電話を架ける際等に於いて、ＩＰアドレスを相手先に電子メール、通常の電話等で問い合わせる必要性がなくなる。加えて、読替番号にプロバイダ番号を付加することによって、プロバイダ（ＩＳＰ）で管理するのはプロバイダ内のユーザのみであれば良く、管理の負担も軽減することが可能となる。
【図面の簡単な説明】
【図１】  本発明のシステム構成の一例を示したシステム構成図である。
【図２】  本発明のプロセスの流れの一例を示したフローチャート図である。
【図３】  本発明のプロセスの流れの一例を示したフローチャート図である。
【図４】  本発明のプロセスの流れの一例を示したフローチャート図である。
【図５】  認証データベースのデータ構造の一例を示した図である。
【図６】  ユーザＩＤ−読替番号データベースのデータ構造の一例を示した図である。
【図７】  ＩＰアドレス−読替番号データベースのデータ構造の一例を示した図である。
【図８】  接続状況を付加したＩＰアドレス−読替番号データベースのデータ構造の一例を示した図である。
【図９】  ＩＳＰ局番データベースのデータ構造の一例を示した図である。
【図１０】読替番号のデータ構造の一例を示した図である。
【符号の説明】
１：ＩＰアドレス読替システム
２：ユーザ
３：ＩＳＰ
４：ネットワーク
５：ユーザ側クライアントマシン
６：インターネットサービス要求手段
７：モデム／ＴＡ
８：モデム／ＴＡ
９：ＲＡＳサーバ
１０：接続受付手段
１１：ＩＰアドレス割当手段
１２：インターネットサービスサーバ
１３：インターネットサービス提供手段
１４：認証手段
１５：ＩＰアドレス−読替番号データベース更新手段
１６：読替番号−ＩＰアドレス読替手段
１７：認証データベース
１８：ユーザＩＤ−読替番号データベース
１９：ＩＰアドレス−読替番号データベース
２０：ＩＳＰ局番通知サイト
２１：ＩＳＰ局番通知手段
２２：ＩＳＰ局番データベース
２３：電話回線
２４：外部ＩＳＰ
【図１】
0004399128.tif 000002
【図２】
0004399128.tif 000003
【図３】
0004399128.tif 000004
【図４】
0004399128.tif 000005
【図５】
0004399128.tif 000006
【図６】
0004399128.tif 000007
【図７】
0004399128.tif 000008
【図８】
0004399128.tif 000009
【図９】
0004399128.tif 000010
【図１０】
0004399128.tif 000011